(57)【要約】【課題】  石材の落下を防止し得るとともに、現場施工が容易で、防水等の納まりも良好な石貼り笠木を提供する。【解決手段】  石貼り笠木１を、壁体Ｗの上部に被嵌される金属製の笠木下地１０と、笠木下地１０の全表面に塗布される接着剤１９を介して、笠木下地１０に貼設される石材１１、１２と、を有する笠木パネル２を備えて構成した。笠木下地１０は、矩形状をなす上面部１５と、上面部１５の対向二辺の下方に連成される側面部１６、１６とによって、断面視略コ字状をなして長尺一体に形成され、上面部１５および側面部１６、１６には上面石材１１および側面石材１２、１２がそれぞれ貼設される。笠木パネル２の出隅部分において、上面石材１１の側端面１１ａと側面石材１２の側端面１２ａとが露呈して、段部２２が形成されている。【選択図】  図３
2009256880.tif 000002
【特許請求の範囲】
【請求項１】
壁体の上部に被嵌される金属製の笠木下地と、該笠木下地の全表面に塗布される接着剤を介して、該笠木下地に貼設される石材と、を有する笠木パネルを備えてなる石貼り笠木。
【請求項２】
該笠木下地が、矩形状をなす上面部と、該上面部の対向二辺の下方に連成される側面部とによって、断面視略コ字状をなして長尺一体に形成され、
該石材が、該笠木下地の該上面部および該側面部にそれぞれ貼設される上面石材および側面石材からなり、
出隅部分において、該上面石材の側端面と該側面石材の側端面とが露呈して、段部が形成されている請求項１に記載の石貼り笠木。
【請求項３】
断面視略コ字状の長尺をなし、壁体の上部に被装支持される捨て水切と、
該捨て水切上における該笠木パネルの連結部分に配設され、該笠木パネルを弾発的に保持する取付金具と、を備え、
該取付金具が、
帯板部と、該帯板部の両端下方に連成される折曲げ部と、を有するとともに、該帯板部から該折曲げ部にかけて、一対の止水部材が、互いに一定間隔を離間して延設され、
該笠木パネルの連結部分から侵入し得る雨水を、該止水部材の間に形成されるルートを通して案内し、外部に排水するようになされている請求項２に記載の石貼り笠木。
【請求項４】
該帯板部が、排水を促す傾斜面を有するものである請求項３に記載の石貼り笠木。
【請求項５】
該捨て水切の内側には、壁体の天端面の縁部に臨むアングルピースが成形されており、該縁部と該アングルピースとの間に、水密部材が長さ方向に連続して配設されている請求項３または４に記載の石貼り笠木。
【請求項６】
壁体の天端面に下地レールを架設し、
該下地レール上に、断面視略コ字状の長尺をなす捨て水切を被装支持させ、
該捨て水切上に、適宜の間隔で取付金具を配設し、
断面視略コ字状をなして長尺一体に形成される金属製の笠木下地と、該笠木下地の全表面に塗布される接着剤を介して、該笠木下地に貼設される石材と、を有する笠木パネルを、該取付金具に弾発的に保持させて、壁体の上部に被嵌させるようになされた石貼り笠木の構築方法。
【発明の詳細な説明】
【技術分野】
【０００１】
本発明は、石貼り笠木に関する。
【背景技術】
【０００２】
従来、手摺壁や腰壁、塀、パラペットなどの壁体の上部に設けられ、壁体の上部の保護や美観の向上を図るものとして笠木が知られている。そして近年では、仕上げ材に対する高級志向等から、笠木を石貼りによって施工する例が増加しつつある。石貼りによる仕上げは、塗装等に比べて紫外線劣化の防止効果もあり、壁体の長寿命化を可能とするものである。
【０００３】
ところで、石貼りの工法としては、石材を引き金物と充填モルタルで固定する湿式工法と、充填モルタルを使用せずに石材を１枚ずつ取付け金物（ファスナー）で躯体等に支持する乾式工法とが代表的であるが、技能工の不足や工期短縮等の観点から現在では乾式工法が広く用いられている（例えば特許文献１）。
【０００４】
【特許文献１】特開平１１−２６４２２９号公報
【発明の開示】
【発明が解決しようとする課題】
【０００５】
石貼り工法では、タイル工法等に比べて、材料（石材）のサイズが格段に大きいため、落下防止の対策が重要となるが、従来の工法では、石材の裏面に金物を部分的に取り付けて、石材の落下防止を図っていることから、石材に衝撃等が加わったときに、金物によって牽引されていない部分等が欠損し、破片が落下する危険性があった。
特に笠木を石貼りとする場合には、石材の細かな加工や薄型化等に起因する割れや欠けが生じ易いため、この傾向が顕著となり、しかも金物の取り付けや石材の切断加工等現場施工の手間がかかり、防水等の納まりも煩雑になり易いものであった。
【０００６】
そこで、本発明は、上記問題に鑑みてなされたものであり、石材の落下を防止し得るとともに、現場施工が容易で、防水等の納まりも良好な石貼り笠木を提供することを目的としている。
【課題を解決するための手段】
【０００７】
上記の課題を解決するために、請求項１に記載の石貼り笠木は、壁体の上部に被嵌される金属製の笠木下地と、該笠木下地の全表面に塗布される接着剤を介して、該笠木下地に貼設される石材と、を有する笠木パネルを備えてなることを要旨とする。
【０００８】
また、請求項２に記載の石貼り笠木は、請求項１に記載の構成において、該笠木下地が、矩形状をなす上面部と、該上面部の対向二辺の下方に連成される側面部とによって、断面視略コ字状をなして長尺一体に形成され、該石材が、該笠木下地の該上面部および該側面部にそれぞれ貼設される上面石材および側面石材からなり、出隅部分において、該上面石材の側端面と該側面石材の側端面とが露呈して、段部が形成されていることを要旨とする。
【０００９】
また、請求項３に記載の石貼り笠木は、請求項２に記載の構成において、断面視略コ字状の長尺をなし、壁体の上部に被装支持される捨て水切と、該捨て水切上における該笠木パネルの連結部分に配設され、該笠木パネルを弾発的に保持する取付金具と、を備え、該取付金具が、帯板部と、該帯板部の両端下方に連成される折曲げ部と、を有するとともに、該帯板部から該折曲げ部にかけて、一対の止水部材が、互いに一定間隔を離間して延設され、該笠木パネルの連結部分から侵入し得る雨水を、該止水部材の間に形成されるルートを通して案内し、外部に排水するようになされていることを要旨とする。
【００１０】
また、請求項４に記載の石貼り笠木は、請求項３に記載の構成において、該帯板部が、排水を促す傾斜面を有するものであることを要旨とする。
【００１１】
また、請求項５に記載の石貼り笠木は、請求項３または４に記載の構成において、該捨て水切の内側には、壁体の天端面の縁部に臨むアングルピースが成形されており、該縁部と該アングルピースとの間に、水密部材が長さ方向に連続して配設されていることを要旨とする。
【００１２】
また、請求項６に記載の石貼り笠木の構築方法は、壁体の天端面に下地レールを架設し、該下地レール上に、断面視略コ字状の長尺をなす捨て水切を被装支持させ、該捨て水切上に、適宜の間隔で取付金具を配設し、断面視略コ字状をなして長尺一体に形成される金属製の笠木下地と、該笠木下地の全表面に塗布される接着剤を介して、該笠木下地に貼設される石材と、を有する笠木パネルを、該取付金具に弾発的に保持させて、壁体の上部に被嵌させるようになされたことを要旨とする。
【発明の効果】
【００１３】
本発明によれば、壁体の上部に被嵌される金属製の笠木下地と、該笠木下地の全表面に塗布される接着剤を介して、該笠木下地に貼設される石材と、を有する笠木パネルを備えてなる石貼り笠木であるため、石材の落下を防止し得るとともに、現場施工が容易で、防水等の納まりも良好な石貼り笠木を提供することが可能となる。
【発明を実施するための最良の形態】
【００１４】
以下、本発明の一実施形態を、図面に基づいて説明する。図１〜図３は、本実施形態に係る石貼り笠木１を示す図であり、図１は全体斜視図、図２は分解斜視図、図３は縦断面図である。また、図４は、笠木パネル２を示す分解斜視図である。
【００１５】
図１において、コンクリート製の壁体Ｗの上部に石貼り笠木１を被着することによって、手摺壁Ｈが形成されている。本実施形態の石貼り笠木１は、図２〜図３に示すように、笠木パネル２、捨て水切３、取付金具４、４ａを主として備えるものである。
手摺壁Ｈは、例えば建物のバルコニーや外廊下、屋上あるいは外構などに適宜設置される。
【００１６】
笠木パネル２は、図４に示すように、笠木下地１０と、石材としての上面石材１１および側面石材１２、１２とから構成されている。
笠木下地１０は、長方形状の上面部１５と、上面部１５の両長辺下方に連成される側面部１６、１６とによって断面視略コ字状をなし、アルミニウム製で長尺一体に成形されてなる。笠木下地１０はアルミニウム以外の金属によって構成してもよい。
側面部１６、１６の下端部には、それぞれ内方に向かう係止爪１７、１７が、長さ方向に沿って形成されている。また、上面部１５は、雨水の誘導等を行えるように、一方の長辺側にやや傾斜して配設される（図３参照）。
【００１７】
笠木下地１０の上面部１５および側面部１６、１６には、図４に示すように、接着剤１９が全表面に塗布され、上面石材１１および側面石材１２、１２がそれぞれ貼設されている。上面石材１１および側面石材１２は、厚さが一定（１０ｍｍ程度）のごく薄い平板状に加工されてなり、笠木下地１０の上面部１５および側面部１６とそれぞれ相等しい面積を有している。
上面石材１１と側面石材１２とがなす出隅部分の納まりは、図３に示す如くのものである。すなわち、上面石材１１の側端面１１ａと、側面石材１２の側端面１２ａとが露呈して段部２２が形成されるとともに、取り合い部の糸面加工によって、目地２３が設けられている。雨水等の侵入防止および美観向上のため、目地２３にはシーリング等を施してもよい。
【００１８】
石材１１、１２としては、薄く、かつ大判に加工できるものが好ましく、例えば花崗岩、安山岩、砂岩、擬灰岩（大谷石）あるいは擬石等が用いられる。
また、接着剤１９としては、上記石材１１、１２と金属製の笠木下地１０とを強固に接着し得るものであれば特に制限はないが、例えば弾性接着剤が適している。
【００１９】
捨て水切３は、亜鉛鉄板または高耐食溶融メッキ鋼板製で、図２〜図３に示すように、壁体Ｗよりもわずかに大きい横幅で、断面視略コ字状に形成された長尺の部材であり、下地レール２５を介して、壁体Ｗの上部に水平状態で被装支持される。
下地レール２５は、断面視逆ハット形状をなすもので、適宜間隔で配設されるアンカーボルト２６によって、壁体Ｗの天端面２８に架設固定される。図中３０は、下地レール２５のレベル調整を行うスペーサーである。
【００２０】
捨て水切３の内側には、図３に示すように、壁体Ｗの天端面２８の縁部２９に臨むアングルピース３３が成形されており、縁部２９とアングルピース３３との間に、水密部材３４が長さ方向に連続して密実に配設されることによって、下方からの吹き込みによる雨水の浸入等を防止できるようになっている。本実施形態では、水密部材３４としてエチレンプロピレンゴム（ＥＰＴ）を用いている。
捨て水切３は、図２に示す如く長さ方向に連結して用いられ、連結部分３６には防水テープ３７が貼着される。
【００２１】
笠木パネル２は、取付金具４、４ａを用いて、捨て水切３を覆うように装着される。図１〜図２に示すように、笠木パネル２も、捨て水切３と同様に、長さ方向に連結して用いられるが、捨て水切３の連結部分３６とは十分にずらした位置に連結部分３９がくるようになされている。
図中４ａは、特に連結部分３９用の取付金具を示しているが、基本的な機能については、一般部分用の取付金具４と共通するため、まず取付金具４を用いて説明をすると、取付金具４は、図２〜図３に示すように、帯板部４０とその両端下方に連成される折曲げ部４１、４１とを備えており、下地レール２５に支持される捨て水切３上に適宜の間隔で嵌着されたのち、捨て水切３を挿通するタッピングビス４３を用いて止着される。
【００２２】
取付金具４の折曲げ部４１、４１は、下方にいくに従って外方に広がった形状となされ、図３に示すように、笠木下地１０の係止爪１７、１７を、この折曲げ部４１、４１の下端に弾発的に嵌合することで、取付金具４に笠木パネル２を固定できるようになっている。また、帯板部４０上には、図２に示す如く両端が上方にクランクした所定形状の支持部材４５が付設されており、図３に示すように、笠木下地１０の上面部１５裏側に当接してこれを弾発的に支持するようになされている。
【００２３】
連結部分３９用の取付金具４ａは、図２に示すように、取付金具４を二つ並べた形態をなし、帯板部４０ａ、折曲げ部４１ａ、４１ａおよび支持部材４５ａ、４５ａを備えて構成されている。支持部材４５ａ、４５ａは、帯板部４０ａの両縁部側に配設されるとともに、支持部材４５ａ、４５ａの内側に沿っては、テープ状をなす一対の止水部材４７、４７が一定の間隔を離間させて貼着されている。止水部材４７、４７は、折曲げ部４１ａ、４１ａ側に延設されており、上方に位置する笠木パネル２の連結部分３９から侵入し得る雨水を、止水部材４７、４７の間に形成されるルート４８を通して下方に案内し、外部に排水する役割を果たしている。そのため、帯板部４０ａは、排水を促す傾斜面（片側勾配または山型の両側勾配）を有するものであればより好ましい。帯板部４０ａおよび折曲げ部４１としては、耐錆性能に優れる材質のものが用いられる。
【００２４】
万一、雨水が上記ルート４８を外れることがあっても、取付金具４ａ下方には、捨て水切３が配設されているため、雨水の内部への侵入を確実に防止できる。
このように、取付金具４ａが一次防水部材、捨て水切３が二次防水部材として機能するようになされているものである。
【００２５】
笠木パネル２は、図１〜図２に示すように、エチレンプロピレンゴム（ＥＰＴ）からなる緩衝材５０を介して連設される。上記のとおり、連結部分３９から侵入し得る雨水は所定のルート４８で外部に排水されるようになっているため、緩衝材５０は必ずしも水密性を有するものでなくともよく、緩衝材５０を設けずに眠り目地の構成とすることもできる。しかし、上記のような緩衝材５０を用いれば、各部の耐久性や耐候性等が向上し、かつシーリング材の使用に伴う汚染も防止し得る。
笠木パネル２の大きさによっては、取付金具４を省略し、取付金具４ａのみを配設することもできる。
【００２６】
石貼り笠木１の構築に際しては、現場施工に先立って、あらかじめ笠木パネル２を工場等で製造しておくことができる。笠木パネル２を、一定寸法刻みで規格品化したりコーナー用の役物に応用すれば、これらを組み合わせることにより、壁体Ｗのさまざまな態様のものに適用可能となる。このような笠木パネル２を用いることで、施工時間の短縮や産業廃棄物の削減に多大な貢献ができる。
【００２７】
上記した石貼り笠木１であれば、笠木下地１０の全表面に塗布される接着剤１９を介して、上面石材１１および側面石材１２、１２が貼設されていることから、上面石材１１や側面石材１２、１２のどの部分に衝撃等が加わっても、破損した石材の破片が落下するおそれがない。
また、上面石材１１や側面石材１２、１２に亀裂が生じた場合でも、笠木下地１０によって、雨水の侵入を防止できる。
【００２８】
石貼り笠木１によれば、所定の笠木パネル２を壁体Ｗの上部に被嵌させるだけでよいため、特段の加工治具や工具が不要で、現場施工がきわめて容易となり、防水等の納まりも単純化することができる。石材工や左官工の専門工も不要であるため、施工費のコストダウンも見込むことができる。
【００２９】
石貼り工法では、一般に、材料費よりも加工費が大きなウェイトを占めるが、笠木パネル２をあらかじめ工場等で製造等しておくことで、加工費を大幅に削減することが可能となる。特に石貼り笠木１では、笠木パネル２の出隅部分において、所定の段部２２を有する構成であるため、上面石材１１および側面石材１２の簡単な平板加工のみで済む。しかも、笠木下地１０の上面部１５によって、必要な水勾配が確保されているため、上面石材１１に、断面三角形状等をなすように複雑な加工を施すことも不要となる。これらのことは、施工精度の向上にも繋がる。
さらに、石貼り笠木１であれば、上面石材１１および側面石材１２を従来より薄型化しても、破損による落下のおそれがないため、材料費についても削減できる。
【００３０】
以上の実施形態の記述は、本発明をこれに限定するものではなく、本発明の要旨を逸脱しない範囲で種々の設計変更等が可能である。
例えば、笠木パネル２と取付金具４、４ａとの嵌合態様として、他の構造のものを採用してよい。また、捨て水切３や取付金具４、４ａによらず、笠木パネル２を壁体Ｗに直接固着して石貼り笠木１を形成することもできる。
壁体Ｗはコンクリート製のものに限らず、金属製の下地材を外装パネルで被覆した構成のものやコンクリートブロック、木材等であってもよい。
【産業上の利用可能性】
【００３１】
本発明は、石材の落下を防止し得るとともに、現場施工が容易で、防水等の納まりも良好な石貼り笠木を提供するものであり、産業上の利用可能性を有する。
【図面の簡単な説明】
【００３２】
【図１】実施形態に係る石貼り笠木を示す全体斜視図である。
【図２】実施形態に係る石貼り笠木を示す分解斜視図である。
【図３】実施形態に係る石貼り笠木を示す縦断面図である。
【図４】笠木パネルを示す分解斜視図である。
【符号の説明】
【００３３】
１  石貼り笠木
２  笠木パネル
３  捨て水切
４ａ  取付金具
１０  笠木下地
１１  上面石材
１１ａ  側端面
１２  側面石材
１２ａ  側端面
１５  上面部
１６  側面部
１９  接着剤
２２  段部
２５  下地レール
２８  天端面
２９  縁部
３３  アングルピース
３４  水密部材
３９  連結部分
４０ａ  帯板部
４１ａ  折曲げ部
４５ａ  支持部材
４７  止水部材
４８  ルート
Ｗ  手摺壁
【図１】
2009256880.tif 000003
【図２】
2009256880.tif 000004
【図３】
2009256880.tif 000005
【図４】
2009256880.tif 000006